(57)【特許請求の範囲】
【請求項１】
情報処理端末と印刷手段とがネットワークを介して接続され、前記情報処理端末から前記印刷手段に送信された印刷データが該印刷手段にて印刷される印刷システムであって、
前記印刷手段は、
前記情報処理端末から前記印刷データが送信されてきた場合、該印刷データを機密印刷するかどうかを前記情報処理端末に問い合わせる機密印刷問合部と、
前記情報処理端末にて機密印刷する旨が指定された場合、当該指定とともに前記情報処理端末から送信されてきた認証データと前記印刷データとを対応づけて管理しておき、前記認証データが与えられた場合、該認証データと対応づけて管理されている印刷データを検索する機密印刷データ管理部と、
前記機密印刷データ管理部にて検索された印刷データを印刷する印刷制御部とを有し、
前記情報処理端末は、前記機密印刷問合部にて前記印刷データを機密印刷するかどうかが問い合わされた場合、前記印刷データを機密印刷するかどうかを指定するための情報画面を立ち上げ、該情報画面を用いて前記印刷データを機密印刷する旨が指定された場合に該指定と前記認証データとを前記印刷手段に送信する機密印刷制御部を有する印刷システム。
【請求項２】
請求項１に記載の印刷システムにおいて、
前記印刷手段は、
前記情報処理端末から前記印刷データが送信されてきた場合、該印刷データと該印刷データの送信元の情報処理端末を識別可能な識別情報とを対応づけて管理する印刷データ管理部を有し、
前記機密印刷データ管理部は、前記情報処理端末から前記認証データが送信されてきた場合、該認証データの送信元の情報処理端末を識別可能な識別情報に対応づけて前記印刷データ管理部にて管理されている印刷データを取得し、該印刷データと前記認証データとを対応づけて管理することを特徴とする印刷システム。
【発明の詳細な説明】
【技術分野】
【０００１】
本発明は、印刷システムに関し、特に、機密情報の印刷に用いられる印刷システムに関する。
【背景技術】
【０００２】
一般的に、パーソナルコンピュータにて作成あるいは表示された情報をプリンタにて印刷する場合、パーソナルコンピュータにおいて、印刷すべき情報及びその情報を印刷するプリンタが指定されると、指定された情報が指定されたプリンタにネットワークを介して送信され、パーソナルコンピュータにて指定されたプリンタにおいて、パーソナルコンピュータにて指定された情報が印刷されることになる。
【０００３】
このようにパーソナルコンピュータとプリンタとがネットワークを介して接続された印刷システムにおいては、パーソナルコンピュータにて指定された情報がプリンタに送信されてプリンタにて受信されると、プリンタにおいて、他の印刷ジョブが発生していない場合、情報が印刷されることになるため、パーソナルコンピュータにて情報の印刷を指定した利用者がプリンタに到着する前に情報が印刷される場合がある。その場合、プリンタにて印刷された情報が他の利用者の目に触れる可能性があり、その情報が機密情報である場合、機密情報が漏洩してしまうことになる。
【０００４】
そこで、パーソナルコンピュータにて情報の印刷を指定する際に、その印刷が機密印刷であることを指定するとともに、その情報を印刷するために必要となるパスワードを指定しておくと、パーソナルコンピュータにて情報の印刷が指定された後に、プリンタにおいて、指定されたパスワードが入力されないと情報が印刷されない仕組みが考えられている（例えば、特許文献１参照。）。このような構成とすることにより、パーソナルコンピュータにて指定された情報がプリンタにて受信されてから利用者がプリンタに到着するまでの間に機密情報が印刷されることがなくなり、それにより、機密情報が漏洩してしまうことを防止することができるようになる。
【特許文献１】特開２００４−３２６５５６号公報
【発明の開示】
【発明が解決しようとする課題】
【０００５】
しかしながら、上述したように、パーソナルコンピュータにて情報の印刷を指定する際に、その印刷が機密印刷であることを指定しておくと、パーソナルコンピュータにて情報の印刷が指定された後に、プリンタにおいて、パーソナルコンピュータにて指定されたパスワードが入力されないと情報が印刷されないものにおいては、印刷する情報が機密情報である場合に、パーソナルコンピュータにて情報の印刷を指定する際に機密印刷であることを指定することになるため、機密印刷であることを指定し忘れてしまった場合、機密情報が漏洩してしまう虞れがある。
【０００６】
本発明は、上述したような従来の技術が有する問題点に鑑みてなされたものであって、機密印刷を確実に行うことができる印刷システムを提供することを目的とする。
【課題を解決するための手段】
【０００７】
上記目的を達成するために本発明は、
情報処理端末と印刷手段とがネットワークを介して接続され、前記情報処理端末から前記印刷手段に送信された印刷データが該印刷手段にて印刷される印刷システムであって、
前記印刷手段は、
前記情報処理端末から前記印刷データが送信されてきた場合、該印刷データを機密印刷するかどうかを前記情報処理端末に問い合わせる機密印刷問合部と、
前記情報処理端末にて機密印刷する旨が指定された場合、当該指定とともに前記情報処理端末から送信されてきた認証データと前記印刷データとを対応づけて管理しておき、前記認証データが与えられた場合、該認証データと対応づけて管理されている印刷データを検索する機密印刷データ管理部と、
前記機密印刷データ管理部にて検索された印刷データを印刷する印刷制御部とを有し、
前記情報処理端末は、前記機密印刷問合部にて前記印刷データを機密印刷するかどうかが問い合わされた場合、前記印刷データを機密印刷するかどうかを指定するための情報画面を立ち上げ、該情報画面を用いて前記印刷データを機密印刷する旨が指定された場合に該指定と前記認証データとを前記印刷手段に送信する機密印刷制御部を有する。
【０００８】
上記のように構成された本発明においては、情報処理端末から印刷手段に印刷データがネットワークを介して送信されてくると、印刷手段の機密印刷問合部において、その印刷データを機密印刷するかどうかが情報処理端末に問い合わされる。すると、情報処理端末の機密印刷制御部において、印刷データを機密印刷するかどうかを指定するための情報画面が立ち上げられ、この情報画面を用いて印刷データを機密印刷する旨が指定された場合、その旨の指定と認証データとが印刷手段に送信される。印刷手段においては、機密印刷する旨が認証データとともに情報処理端末から送信されてくると、印刷手段の機密印刷データ管理部において、情報処理端末から送信されてきた認証データと印刷データとが対応づけて管理される。その後、印刷手段に認証データが与えられた場合、この認証データと対応づけて管理されている印刷データが検索され、印刷制御部よる制御によってその印刷データが印刷されることになる。
【０００９】
このように、情報処理端末から印刷手段に印刷データがネットワークを介して送信された場合に、その印刷データを機密印刷するかどうかが印刷手段から情報処理端末に問い合わされ、これに対して情報処理端末において機密印刷する旨が指定された場合に印刷手段にて印刷データが機密印刷されるので、機密印刷を行う場合に機密印刷を指定することを忘れることがなくなり、機密印刷を確実に行うことができるようになる。
【００１０】
また、前記印刷手段は、
前記情報処理端末から前記印刷データが送信されてきた場合、該印刷データと該印刷データの送信元の情報処理端末を識別可能な識別情報とを対応づけて管理する印刷データ管理部を有し、
前記機密印刷データ管理部は、前記情報処理端末から前記認証データが送信されてきた場合、該認証データの送信元の情報処理端末を識別可能な識別情報に対応づけて前記印刷データ管理部にて管理されている印刷データを取得し、該印刷データと前記認証データとを対応づけて管理することを特徴とする。
【００１１】
このような構成とした場合は、情報処理端末から印刷手段に印刷データが送信されてくると、印刷データとその印刷データの送信元の情報処理端末を識別可能な識別情報とが印刷データ管理部にて対応づけて管理され、その後、情報処理端末から認証データが送信されてきた場合、機密印刷データ管理部において、その認証データの送信元の情報処理端末を識別可能な識別情報に対応づけて印刷データ管理部にて管理されている印刷データが取得され、取得された印刷データと認証データとが対応づけて管理されることになる。
【００１２】
このように、情報処理端末から印刷手段に送信されてきた印刷データが、その印刷データの送信元の情報処理端末を識別可能な識別情報と対応づけて管理され、その後、情報処理端末から認証データが送信されてきた場合、その認証データと、この認証データの送信元の情報処理端末を識別可能な識別情報に対応づけて管理されている印刷データとが対応づけて管理されるので、印刷データと認証データとが上述したように別々に情報処理端末から印刷手段に送信されても、これらが対応づけて管理されることになる。
【発明の効果】
【００１３】
以上説明したように本発明においては、情報処理端末から印刷手段に印刷データがネットワークを介して送信された場合に、その印刷データを機密印刷するかどうかが印刷手段から情報処理端末に問い合わされ、これに対して情報処理端末において機密印刷する旨が指定された場合に印刷手段にて印刷データが機密印刷される構成としたため、機密印刷を行う場合に機密印刷を指定することを忘れることがなくなり、機密印刷を確実に行うことができる。また、情報処理端末においてプリンタドライバを改造したり、印刷手段の増設に併せてプリンタドライバを新たにインストールしたりする必要がない。
【００１４】
また、情報処理端末から印刷データが送信されてきた場合、印刷データとこの印刷データの送信元の情報処理端末を識別可能な識別情報とを対応づけて管理する印刷データ管理部を有し、機密印刷データ管理部において、情報処理端末から認証データが送信されてきた場合、その認証データの送信元の情報処理端末を識別可能な識別情報に対応づけて管理されている印刷データを取得し、その印刷データと認証データとを対応づけて管理するものにおいては、印刷データと認証データとが上述したように別々に情報処理端末から印刷手段に送信されても、これらを対応づけて管理することができる。また、このように、印刷データと認証データとがそれぞれ、情報処理端末を識別可能な識別情報とともに情報処理端末から印刷手段に送信されてきても、認証データが印刷手段に送信されてきた後は、印刷データと認証データとが互いに対応づけて管理され、印刷データ及び認証データがそれぞれ、送信元の情報処理端末の識別情報と対応づけて管理されるものではないため、例えば、ＤＨＣＰ（Dynamic Host Configuration Protocol）を用いて情報処理端末の識別情報が任意に割り振られる場合等、認証データが情報処理端末から印刷手段に送信された後に異なる情報処理端末に同一の識別情報が用いられた場合であっても、印刷データに対して設定した認証データが印刷手段に与えられた場合にのみ、対応する印刷データを出力することができる。
【発明を実施するための最良の形態】
【００１５】
以下に、本発明の実施の形態について図面を参照して説明する。
【００１６】
図１は、本発明の印刷システムの実施の一形態を示す図である。
【００１７】
本形態は図１に示すように、情報処理端末である複数のクライアントＰＣ１０−１〜１０−ｎと印刷手段であるプリンタ２０とがネットワーク３０を介して接続された印刷システムであって、クライアントＰＣ１０−１〜１０−ｎからの印刷指示がネットワーク３０を介してプリンタ２０に与えられると、プリンタ３０から機密印刷をするかどうかがクライアントＰＣ１０−１〜１０−ｎに対して問い合わされ、それに対してクライアントＰＣ１０−１〜１０−ｎにて機密印刷をするかどうかが指定されると、それに応じた印刷がプリンタ３０にて行われるものである。
【００１８】
図２は、図１に示したクライアントＰＣ１０−１の構成を示す図である。なお、図１に示したクライアントＰＣ１０−２〜１０−ｎの構成もこれと同様である。
【００１９】
本形態におけるクライアントＰＣ１０−１〜１０−ｎは図２に示すように、情報を入力するためのキーボードやマウス等からなる入力部１１と、情報を表示するディスプレイからなる表示部１２と、プリンタ２０における印刷を指示するための画面を表示部１２に表示するとともに、入力部１１に入力された情報に従って印刷命令及び印刷すべき印刷データをプリンタ２０に送信する印刷指示制御部１４と、非接触型ＩＣカードから認証データを読み取る情報読取部１３と、プリンタ３０から機密印刷をするかどうかが問い合わされた場合に機密印刷を指定するための情報画面を立ち上げて表示部１２に表示し、それに対して入力部１１にて指定された情報と情報読取部１３にて読み取られた認証データとを用いて機密印刷をするかどうかをプリンタ２０に対して応答する機密印刷制御部１５と、ネットワーク３０とのインターフェースを司るインターフェース部１６とから構成されている。なお、本形態においては、情報読取部１３がクライアントＰＣ１０−１〜１０−ｎ内に設けられているが、情報読取部１３が外部に設けられ、クライアントＰＣ１０−１〜１０−ｎと接続された構成とすることも考えられる。
【００２０】
図３は、図１に示したプリンタ２０の構成を示す図である。
【００２１】
本形態におけるプリンタ２０は図３に示すように、クライアントＰＣ１０−１〜１０−ｎから送信されてきた印刷データを取得する印刷データ取得部２１と、印刷データ取得部２１にて取得された印刷データを、この印刷データの送信元のクライアントＰＣ１０−１〜１０−ｎの識別情報となるＩＰアドレスと対応づけて印刷データ２３ａとして管理する印刷データ管理部２２と、非接触型ＩＣカードから認証データを読み取る情報読取部２８と、クライアントＰＣ１０−１〜１０−ｎから印刷データが送信されてきた場合、その印刷データを機密印刷するかどうかをクライアントＰＣ１０−１〜１０−ｎに問い合わせるとともに、その応答をクライアントＰＣ１０−１〜１０−ｎから取得する機密印刷問合部２４と、機密印刷問合部２４にて取得された応答が機密印刷するものである場合、すなわち、クライアントＰＣ１０−１〜１０−ｎにて機密印刷する旨が指定された場合、この応答の送信元のクライアントＰＣ１０−１〜１０−ｎの識別情報となるＩＰアドレスに対応づけて印刷データ管理部２２にて印刷データ２３ａとして管理されている印刷データを取得し、この印刷データを、クライアントＰＣ１０−１〜１０−ｎから応答とともに送信されてきた認証データと対応づけて機密印刷データ２３ｂとして管理するとともに、情報読取部２８にて読み取られた認証データと対応づけて機密印刷データ２３ｂとして管理されている印刷データを検索する機密印刷データ管理部２７と、印刷データ管理部２２にて印刷データとして管理されている印刷データや機密印刷データ管理部２７にて検索された印刷データを印刷する印刷部２６と、機密印刷問合部２４にて取得されたクライアント１０−１〜１０−ｎからの応答に従って、印刷データ管理部２２にて印刷データとして管理されている印刷データや機密印刷データ管理部２７にて検索された印刷データを印刷部２６から印刷する印刷制御部２５と、ネットワーク３０とのインターフェースを司るインターフェース部２９とから構成されている。なお、本形態においては、情報読取部２８がプリンタ２０内に設けられているが、情報読取部２８が外部に設けられ、プリンタ２０と接続された構成とすることも考えられる。
【００２２】
以下に、上記のように構成された印刷システムにおける印刷データの印刷方法について説明する。
【００２３】
図４は、図１〜３に示した印刷システムにおける印刷方法を説明するためのフローチャートである。なお、以下の説明においては、クライアント１０−１における指定に従ってプリンタ２０にて印刷データが印刷される場合を例に挙げて説明するが、クライアント１０−２〜１０−ｎにて指示が行われる場合も同様の処理が行われることになる。
【００２４】
クライアントＰＣ１０−１において、表示部１２に表示されている情報をプリンタ２０にて印刷するために、プルダウンメニュー等によって印刷が指定されると（ステップＳ１）、表示部１２に表示されている情報が印刷データとしてネットワーク３０を介してプリンタ２０に送信される（ステップＳ２）。
【００２５】
クライアントＰＣ１０−１から送信された印刷データは、ネットワーク３０を介してプリンタ２０の印刷データ取得部２１にて取得される（ステップＳ３）。なおこの際、印刷データ取得部２１においては、取得した印刷データの送信元となるクライアントＰＣ１０−１を識別可能な識別情報となるＩＰアドレスが認識される。
【００２６】
クライアントＰＣ１０−１から送信された印刷データが印刷データ取得部２１にて取得されると、印刷データ取得部２１にて取得された印刷データは、印刷データ管理部２２において、クライアントＰＣ１０−１のＩＰアドレスと対応づけて印刷データ２３ａとして保存、管理される（ステップＳ４）。
【００２７】
また、印刷データ取得部２１においては、クライアントＰＣ１０−１から送信された印刷データが取得された旨がクライアントＰＣ１０−１のＩＰアドレスとともに機密印刷問合部２４に通知され、機密印刷問合部２４において、その印刷データを機密印刷するかどうかが印刷データ取得部２１から通知されたＩＰアドレスを用いてクライアントＰＣ１０−１に問い合わされる（ステップＳ５）。なお、この問い合わせは、クライアントＰＣ１０−１の機密印刷制御部１５において機密印刷を指定するための情報画面を立ち上げて表示部１２に表示する旨の命令である。
【００２８】
プリンタ２０の機密印刷問合部２４からの問い合わせは、クライアントＰＣ１０−１の機密印刷制御部１５にて受信され（ステップＳ６）、機密印刷制御部１５の制御によって、機密印刷を指定するための情報画面が立ち上げられて表示部１２に表示される（ステップＳ７）。
【００２９】
図５は、図２に示した機密印刷制御部１５の制御によって表示部１２に表示された機密印刷を指定するための情報画面を示す図である。
【００３０】
図５に示すように、機密印刷制御部１５の制御によって表示部１２に表示された機密印刷を指定するための情報画面には、ステップＳ１にて指定した情報を機密印刷する場合にチェックを入力するチェックボックス１０１が掲載され、また、このチェックボックス１０１を用いての機密印刷をするかどうかの指定後にその指定を確定するためのＯＫボタン１０２と、その指定をキャンセルするためのキャンセルボタン１０３とが掲載されている。
【００３１】
図５に示した画面にてチェックボックス１０１にチェックを入力してＯＫボタン１０２を押下するか、あるいはチェックボックス１０１にチェックを入力せずにＯＫボタン１０２を押下するかによって、ステップＳ１にて指定した情報を機密印刷するかどうかを指定することになる（ステップＳ８，Ｓ９）。
【００３２】
ステップＳ１にて指定した情報を機密印刷するために、チェックボックス１０１にチェックが入力されてＯＫボタン１０２が押下されると、利用者が所持する非接触型ＩＣカードを情報読取部１３に翳す旨の指示がクライアントＰＣ１０−１の表示部１２に表示される。そして、この指示に従って、利用者が所持する非接触型ＩＣカードが情報読取部１３に翳されると、非接触型ＩＣカード内の認証データが情報読取部１３にて読み取られることになる（ステップＳ１０）。なお、利用者が所持する非接触型ＩＣカードには、非接触型ＩＣカード固有のＩＤ番号が書き込まれており、このＩＤ番号を認証データとして用いることが考えられる。
【００３３】
利用者が所持する非接触型ＩＣカード内の認証データが情報読取部１３にて読み取られると、ステップＳ８にて指定された内容、すなわち、ステップＳ１にて指定した情報を機密印刷する旨を示す指定情報が、情報読取部１５にて非接触型ＩＣカードから読み取られた認証データとともに機密印刷制御部１５から送信される（ステップＳ１１）。
【００３４】
また、ステップＳ１にて指定した情報を機密ではない通常印刷するために、チェックボックス１０１にチェックが入力されずにＯＫボタン１０２が押下されると、ステップＳ８にて指定された内容、すなわち、ステップＳ１にて指定した情報を機密ではない通常印刷する旨を示す指定情報のみが機密印刷制御部１５から送信されることになる。
【００３５】
クライアントＰＣ１０−１の機密印刷制御部１５から送信された指定情報及び認証データは、ネットワーク３０を介してプリンタ２０の機密印刷問合部２４にて受信される（ステップＳ１２）。なおこの際、機密印刷問合部２４においては、受信した指定情報の送信元となるクライアントＰＣ１０−１のＩＰアドレスが認識される。
【００３６】
機密印刷問合部２４にて受信された指示情報が機密印刷する旨を示すものである場合は（ステップＳ１３）、受信された指示情報及び認証データとクライアントＰＣ１０−１のＩＰアドレスとが機密印刷データ管理部２７に通知される。
【００３７】
すると、機密印刷データ管理部２７においては、まず、機密印刷問合部２４から通知されたＩＰアドレスに対応づけて印刷データ管理部２２にて印刷データ２３ａとして保存、管理されている印刷データが検索されて取得され（ステップＳ１４）、取得された印刷データが、機密印刷問合部２４から通知された認証データと対応づけて機密印刷データ２３ｂとして保存、管理される（ステップＳ１５）。これにより、機密印刷データ２３ｂとして管理されている印刷データは、それぞれその印刷データを機密印刷する旨が指定された際に非接触型ＩＣカードから読み取られた認証データと対応づけて管理されていることになる。
【００３８】
その後、利用者が所持する非接触型ＩＣカードがプリンタ２０の情報読取部２８に翳され、非接触型ＩＣカード内の認証データが情報読取部２８にて読み取られると（ステップＳ１６）、機密印刷データ管理部２７において、機密印刷データ２３ｂとして管理されている印刷データの中から、情報読取部２８にて読み取られた認証データと対応づけて管理されている印刷データが検索される（ステップＳ１７）。
【００３９】
機密印刷データ管理部２７にて機密印刷データ２３ｂから検索された印刷データは、印刷制御部２５を介して印刷部２６に渡され、印刷制御部２５の制御によって印刷部からプリントアウトされる（ステップＳ１８）。
【００４０】
一方、機密印刷問合部２４にて受信された指示情報が機密ではない通常印刷する旨を示すものである場合は、受信された指示情報とクライアントＰＣ１０−１のＩＰアドレスとが印刷データ管理部２２に通知され、印刷データ管理部２２において、印刷データ２３ａとして管理されている印刷データの中から、機密印刷問合部２４から通知されたＩＰアドレスと対応づけて管理されている印刷データが検索される。
【００４１】
その後、印刷データ管理部２２にて印刷データ２３ａから検索された印刷データは、印刷制御部２５を介して印刷部２６に渡され、上記同様に、印刷制御部２５の制御によって印刷部からプリントアウトされることになる。
【００４２】
なお、本形態においては、利用者が所持する非接触型ＩＣカードに書き込まれたＩＤ番号を認証データとし、この認証データを用いて、機密印刷する旨が指定された印刷データを管理し、その後、プリンタ２０にて非接触型ＩＣカードから認証データが読み出された場合にこの認証データに対応づけて管理されている印刷データがプリントアウトされる構成としているが、利用者が指定するパスワードを認証データとすることも考えられる。その場合、機密印刷するために図５に示したチェックボックス１０１にチェックが入力されてＯＫボタン１０２が押下されると、印刷データをプリントアウトするためのパスワードを入力するための画面がクライアントＰＣ１０−１の表示部１２に表示され、利用者は所望のパスワードを入力することになる。
【００４３】
また、本形態においては、クライアントＰＣ１０−１〜１０−ｎを識別可能な識別情報としてクライアントＰＣ１０−１〜１０−ｎのＩＰアドレスを用いているため、グローバルアドレス／プライベートアドレス変換を行うＮＡＴ（Network Address Translation）機能を有するファイアウォールを使用した環境にも適用することができ、それにより、機密印刷をする旨が指定された印刷データのセキュリティ性を向上させることができる。ただしこの場合、ファイアウォールに設定されたグローバルアドレスの数を超えた数のクライアントＰＣからプリンタ２０へのアクセスができないため、ＴＣＰ（Transport Control Protocol）やＵＤＰ（User Datagram Protocol）のヘッダフィールドに含まれるポート番号を用いてクライアントＰＣ１０−１〜１０−ｎを識別するＩＰマスカレード機能を有するファイアウォールを使用した環境に適用すれば、クライアントＰＣ１０−１〜１０−ｎの数に限定されることなく、機密印刷をする旨が指定された印刷データのセキュリティ性を向上させることができる。
【００４４】
また、本形態においては、印刷手段を１つのプリンタ２０から構成しているが、図３に示した印刷部２６及び印刷制御部２５以外の構成をプリンタサーバに持たせ、このプリンタサーバとプリンタにて印刷手段を構成することも考えられる。
【図面の簡単な説明】
【００４５】
【図１】本発明の印刷システムの実施の一形態を示す図である。
【図２】図１に示したクライアントＰＣの構成を示す図である。
【図３】図１に示したプリンタの構成を示す図である。
【図４】図１〜３に示した印刷システムにおける印刷方法を説明するためのフローチャートである。
【図５】図２に示した機密印刷制御部の制御によって表示部に表示された機密印刷を指定するための情報画面を示す図である。
【符号の説明】
【００４６】
１０−１〜１０−ｎ    クライアントＰＣ
１１    入力部
１２    表示部
１３，２８    情報読取部
１４    印刷指示制御部
１５    機密印刷制御部
１６，２９    インターフェース部
２０    プリンタ
２１    印刷データ取得部
２２    印刷データ管理部
２３ａ    印刷データ
２３ｂ    機密印刷データ
２４    機密印刷問合部
２５    印刷制御部
２６    印刷部
２７    機密印刷データ管理部
３０    ネットワーク
１０１    チェックボックス
１０２    ＯＫボタン
１０３    キャンセルボタン
【図１】
0004528222.tif 000002
【図２】
0004528222.tif 000003
【図３】
0004528222.tif 000004
【図４】
0004528222.tif 000005
【図５】
0004528222.tif 000006